(57)【特許請求の範囲】
【請求項１】
負荷に対して定電流動作モードと定電圧動作モードとで充電または放電させる電源装置において、
定電流制御部と定電圧制御部との出力側を、抵抗を用いたＯＲ回路により構成し、
前記定電流制御部は、定電流制御用誤差アンプと前記定電流制御用誤差アンプの出力側に接続された定電流制御用出力側抵抗とを備え、
前記定電圧制御部は、定電圧制御用誤差アンプと前記定電圧制御用誤差アンプの出力側に接続された定電圧制御用出力側抵抗とを備え、
前記定電流制御部と前記定電圧制御部との出力側をダイオードＯＲ回路により構成した場合に生じる沿層電圧に起因する動作モード切り替え制御時間の遅延が消滅するように、前記定電流制御用出力側抵抗と前記定電圧制御用出力側抵抗とが調整され、
前記定電流制御部は、前記定電流制御用誤差アンプの出力とマイナス側入力との間に接続される定電流用クランプダイオードを備え、
前記定電圧制御部は、前記定電圧制御用誤差アンプの出力とマイナス側入力との間に接続される定電圧用クランプダイオードを備える
ことを特徴とする電源装置。
【請求項２】
請求項１に記載の電源装置において、
前記定電流制御部は、定電流用クランプダイオードと並列接続された定電流用位相補償コンデンサを備え、
前記定電圧制御部は、定電圧用クランプダイオードと並列接続された定電圧用位相補償コンデンサを備える
ことを特徴とする電源装置。
【請求項３】
請求項１または請求項２に記載の電源装置を備える
ことを特徴とする充放電制御装置。
【請求項４】
請求項３に記載の充放電制御装置において、
前記負荷はバッテリーであり、
前記バッテリーに対して定電流制御による充電をした後に定電圧制御による充電を遂行する
ことを特徴とする充放電制御装置。
【請求項５】
請求項４に記載の充放電制御装置において、
前記定電流動作モードと前記定電圧動作モードとの切り替え時に、前記定電流制御部と前記定電圧制御部との出力側をダイオードＯＲ回路とした場合の不感帯電圧の昇圧時間に対応する制御時間相当分だけ制御速度が向上するように、
前記ダイオードに替えて抵抗値が調整された前記定電流制御用出力側抵抗と前記定電圧制御用出力側抵抗とを、前記定電流制御部と前記定電圧制御部との出力側に各々設ける
ことを特徴とする充放電制御装置。
【請求項６】
負荷に対して定電流動作モードと定電圧動作モードとで充電または放電させる電源装置であって、
定電流制御部と定電圧制御部との出力側を、抵抗を用いたＯＲ回路により構成し、
前記定電流制御部は、定電流制御用誤差アンプと前記定電流制御用誤差アンプの出力側に接続された定電流制御用出力側抵抗とを備え、
前記定電圧制御部は、定電圧制御用誤差アンプと前記定電圧制御用誤差アンプの出力側に接続された定電圧制御用出力側抵抗とを備え、
前記定電流制御部と前記定電圧制御部との出力側をダイオードＯＲ回路により構成した場合に生じる沿層電圧に起因する動作モード切り替え制御時間の遅延が消滅するように、前記定電流制御用出力側抵抗と前記定電圧制御用出力側抵抗とが調整される電源装置を備え、
前記負荷はバッテリーであり、
前記バッテリーに対して定電流制御による充電をした後に定電圧制御による充電を遂行し、
前記定電流動作モードと前記定電圧動作モードとの切り替え時に、前記定電流制御部と前記定電圧制御部との出力側をダイオードＯＲ回路とした場合の不感帯電圧の昇圧時間に対応する制御時間相当分だけ制御速度が向上するように、
前記ダイオードに替えて抵抗値が調整された前記定電流制御用出力側抵抗と前記定電圧制御用出力側抵抗とを、前記定電流制御部と前記定電圧制御部との出力側に各々設けた充放電制御装置によりバッテリを放電制御する制御方法において、
前記定電流動作モードから前記定電圧動作モードへと切り替える場合に、
前記定電流制御部からの出力電圧を、ダイオードドロップ相当分を含まない電圧だけ降下させる工程と同時に、
前記定電圧制御部からの出力電圧を、ダイオードドロップ相当分を含まない電圧だけ上昇させる工程を遂行する
ことを特徴とする制御方法。
【発明の詳細な説明】
【技術分野】
【０００１】
本発明は、ダイオードの沿層電圧を超えるための時間をなくし高速な制御切り替えをする電源装置と充放電制御装置とその制御方法とに関する。
【背景技術】
【０００２】
従来の第一誤差増幅回路９６０と第二誤差増幅回路９７０とフィードバック切替回路９８０と電流検出回路９５０とＤＣ／ＤＣ制御回路９４０の構成例を図５に示す。図５において、電流検出回路９５０は、抵抗Ｒ９５１と、抵抗Ｒ９５１の電位差を測定するオペアンプＯＰ９５０と、抵抗Ｒ９５２とキャパシタＣ９５０とによるフィルタ回路と、から構成されている。
【０００３】
第一誤差増幅回路９６０は定電流制御回路であり、第二誤差増幅回路９７０は下限電圧制御回路である。また、図５において、フィードバック切替回路９８０の出力として示されるＶＦＢは、ＤＣ／ＤＣ制御回路フィードバック入力である。
【０００４】
また、電流検出回路９５０のオペアンプＯＰ９５０の出力は、抵抗Ｒ９５２を介して第一誤差増幅回路９６０のオペアンプＯＰ９６０のプラス側に入力される。また、第一誤差増幅回路９６０は、抵抗Ｒ９６１と、オペアンプＯＰ９６０と、直列接続されたキャパシタＣ９６０と抵抗Ｒ９６２と、から構成される。
【０００５】
第一誤差増幅回路９６０には、定電流値指令信号が抵抗Ｒ９６１を介してオペアンプＯＰ９６０のマイナス側に入力される。また、キャパシタＣ９６０と抵抗Ｒ９６２の直列回路が、オペアンプＯＰ９６０の出力と、抵抗Ｒ９６１とオペアンプＯＰ９６０のマイナス側と、の間に並列に接続される。
【０００６】
また、第二誤差増幅回路９７０は、抵抗Ｒ９７１と、オペアンプＯＰ９７０と、直列接続されたキャパシタＣ９７０と抵抗Ｒ９７２と、抵抗Ｒ９７３とから構成される。また、第二誤差増幅回路９７０には、電圧値指令信号が、オペアンプＯＰ９７０のプラス側に入力される。抵抗Ｒ９７１と抵抗Ｒ９７３との直列回路において、抵抗Ｒ９７１側にはスタックの出力が接続され、抵抗Ｒ９７３側はアースに接続される。
【０００７】
また、スタックの出力が抵抗Ｒ９７１を介して分圧されてオペアンプＯＰ９７０のマイナス側に接続される。また、キャパシタＣ９７０と抵抗Ｒ９７２との直列回路が、オペアンプＯＰ９７０の出力と、直列接続された抵抗Ｒ９７１と抵抗Ｒ９７３との中点とオペアンプＯＰ９７０のマイナス側と、の間にオペアンプＯＰ９７０に対して並列に接続されている。
【０００８】
また、フィードバック切替回路９８０は、ダイオードＤ９８１と、ダイオードＤ９８２とから構成される。第一誤差増幅回路９６０の出力がフィードバック切替回路９８０のダイオードＤ９８１を介してＤＣ／ＤＣ制御回路９４０に入力される。また、第二誤差増幅回路９７０の出力がフィードバック切替回路９８０のダイオードＤ９８２を介してＤＣ／ＤＣ制御回路９４０に入力される。上記構成により、スタックの特性に応じて、定電流制御と定電圧制御とが遂行されることが、例えば下記特許文献１に記載されている。
【０００９】
また、出力電圧制御部と出力電流制御部との何れか一方又は両方に飽和防止回路を設けることにより、迅速に制御状態に移行することが可能となって、電圧制御領域と電流制御領域との間の制御状態遷移を迅速に行うことができ、負荷に対して供給する出力電流のオーバーシュートの発生を防止し、負荷に対する直流電力供給の安定化を図ることができる電源装置は、下記特許文献２に開示されている。
【先行技術文献】
【特許文献】
【００１０】
【特許文献１】特開２００９−１３５０４０号公報
【特許文献２】特開２００６−２８００７７号公報
【発明の概要】
【発明が解決しようとする課題】
【００１１】
誤差アンプの出力側にダイオードを挿入してダイオードＯＲとしたアナログ制御回路では、制御電圧の不安定化を抑制するために、例えばダイオードクランプすることにより安定化させるとともに応答速度を高速化させている。
【００１２】
しかしダイオードＯＲの構成においては、電流と電圧との制御切り替える場合にダイオードの沿層電圧を越えなければならない。特に、制御対象が低電圧と低電流とである場合には、このようなダイオードの沿層電圧は制御する低電圧・低電流に対して占める割合が比較的大きくなる。
【００１３】
従ってこのようなダイオードＯＲの構成における、切り替え制御には、ダイオードの沿層電圧を超えるための時間が必要であった。ダイオードの沿層電圧を超えるための期間中には実質的に何ら制御ができず制御不能であるため、当該期間の低減化が望まれていた。
【００１４】
本発明は、上述した問題点に鑑み為されたものであり、ダイオードの沿層電圧を超えるための時間をなくしさらに高速な制御切り替えをする電源装置と充放電制御装置及びその制御方法を提供することを目的とする。
【課題を解決するための手段】
【００１５】
本発明の電源装置は、負荷に対して定電流動作モードと定電圧動作モードとで充電または放電させる電源装置において、定電流制御部と定電圧制御部との出力側を、抵抗を用いたＯＲ回路により構成することを特徴とする。
【００１６】
本発明の電源装置は、好ましくは定電流制御部が、定電流制御用誤差アンプと定電流制御用誤差アンプの出力側に接続された定電流制御用出力側抵抗とを備え、定電圧制御部は、定電圧制御用誤差アンプと定電圧制御用誤差アンプの出力側に接続された定電圧制御用出力側抵抗とを備えることを特徴とする。
【００１７】
本発明の電源装置は、さらに好ましくは定電流制御部と定電圧制御部との出力側をダイオードＯＲ回路により構成した場合に生じる沿層電圧に起因する動作モード切り替え制御時間の遅延が消滅するように、定電流制御用出力側抵抗と定電圧制御用出力側抵抗とが調整されることを特徴とする。
【００１８】
本発明の電源装置は、さらに好ましくは定電流制御部が、定電流制御用誤差アンプの出力とマイナス側入力との間に接続される定電流用クランプダイオードを備え、定電圧制御部は、定電圧制御用誤差アンプの出力とマイナス側入力との間に接続される定電圧用クランプダイオードを備えることを特徴とする。
【００１９】
本発明の電源装置は、さらに好ましくは定電流制御部が、定電流用クランプダイオードと並列接続された定電流用位相補償コンデンサを備え、定電圧制御部は、定電圧用クランプダイオードと並列接続された定電圧用位相補償コンデンサを備えることを特徴とする。
【００２０】
本発明の充放電制御装置は、上述のいずれかの電源装置を備えることを特徴とする。
【００２１】
本発明の充放電制御装置は、好ましくは負荷がバッテリーであり、バッテリーに対して定電流制御による充電をした後に定電圧制御による充電を遂行することを特徴とする。
【００２２】
本発明の充放電制御装置は、さらに好ましくは定電流動作モードと定電圧動作モードとの切り替え時に、定電流制御部と定電圧制御部との出力側をダイオードＯＲ回路とした場合の不感帯電圧の昇圧時間に対応する制御時間相当分だけ制御速度が向上するように、ダイオードに替えて抵抗値が調整された抵抗を、定電流制御部と定電圧制御部との出力側に各々設けることを特徴とする。
【００２３】
本発明の制御方法は、上述の充放電制御装置によりバッテリを放電制御する制御方法であって、定電流動作モードから定電圧動作モードへと切り替える場合に、定電流制御部からの出力電圧を、ダイオードドロップ相当分を含まない電圧だけ降下させる工程と同時に、定電圧制御部からの出力電圧を、ダイオードドロップ相当分を含まない電圧だけ上昇させる工程を遂行することを特徴とする。
【発明の効果】
【００２４】
本発明により、ダイオードの沿層電圧を超えるための時間をなくし高速な制御切り替えをする電源装置と充放電制御装置とその制御方法とを提供できる。
【図面の簡単な説明】
【００２５】
【図１】実施形態の放電制御装置の構成概要を説明するブロック図である。
【図２】放電制御装置の動作モードを定電流動作モード（ＣＣ）から定電圧動作モード（ＣＶ）へと切り替える場合の切り替え時間（Ｔ１）を説明する概要図である。
【図３】比較例として放電制御装置を説明する図である。
【図４】比較例の放電制御装置の動作モードを、定電流動作モード（ＣＣ）から定電圧動作モード（ＣＶ）へと切り替える場合の切り替え時間（Ｔ２）を説明する概要図である。
【図５】従来の誤差増幅回路と誤差増幅回路とフィードバック切替回路と電流検出回路とＤＣ／ＤＣ制御回路との構成例を説明する図である。
【発明を実施するための形態】
【００２６】
実施形態で説明する充放電制御装置は、アナログ制御回路として正負いずれかのみの電力を負荷に供給し、ダイオードＯＲによる構成とせずに誤差アンプの出力を抵抗加算とする。これにより、切り替え時にダイオードＯＲの場合には必然的に生じていた沿層電圧を超えるための昇圧時間が不要となるので、高速な制御切り替えを実現できる。
【００２７】
また、実施形態で説明する充放電制御装置は、アナログ制御回路の正側または負側のみで負荷に対する制御を遂行し、少なくとも二つ以上の多重制御を行う誤差アンプに関する。多重制御の各制御部が備える誤差アンプに正側または負側のみで動作させるクランプダイオードを各々設け、当該誤差アンプの各制御出力電圧を抵抗加算して制御する。
【００２８】
図１は、実施形態の放電制御装置１０００の構成概要を説明するブロック図である。図１において、放電制御装置１０００は、負荷としてのバッテリー１００を備える。また、放電制御装置１０００は、定電流動作モードにおいてバッテリー１００から放電させる電流を所定値に保持する定電流制御部２００と、定電圧動作モードにおいてバッテリー１００の電圧を所定値に保持するように放電させる定電圧制御部３００とを備える。
【００２９】
定電流制御部２００は、定電流基準電圧となる定電流基準電源２３０と定電流制御用誤差アンプ２２０と定電流用クランプダイオード２５０と定電流用位相補償コンデンサ２４０と定電流制御用出力側抵抗２１０とを備える。定電流基準電源２３０のプラス側は、抵抗Ｒ２０１を介して定電流制御用誤差アンプ２２０のマイナス側入力に接続される。
【００３０】
また、定電流用位相補償コンデンサ２４０は、定電流制御用誤差アンプ２２０の出力とマイナス側入力との間にフィードバック接続される。また、定電流用クランプダイオード２５０のアノードは定電流制御用誤差アンプ２２０のマイナス側入力に接続され、定電流用クランプダイオード２５０のカソードは定電流制御用誤差アンプ２２０の出力に接続される。
【００３１】
すなわち、図１から理解できるように定電流用位相補償コンデンサ２４０と定電流用クランプダイオード２５０とは、定電流制御用誤差アンプ２２０に並列接続とされる。また、トランジスタＴｒ１と抵抗Ｒ２との中点は、抵抗Ｒ２０２を介して定電流制御用誤差アンプ２２０のプラス側入力に接続される。
【００３２】
また、定電圧制御部３００は、定電圧基準電圧となる定電圧基準電源３３０と定電圧制御用誤差アンプ３２０と定電圧用クランプダイオード３５０と定電圧用位相補償コンデンサ３４０と定電圧制御用出力側抵抗３１０とを備える。定電圧基準電源３３０のプラス側は、抵抗Ｒ３０１を介して定電圧制御用誤差アンプ３２０のプラス側入力に接続される。
【００３３】
また、定電圧用位相補償コンデンサ３４０は、定電圧制御用誤差アンプ３２０の出力とマイナス側入力との間にフィードバック接続される。また、定電圧用クランプダイオード３５０のアノードは定電圧制御用誤差アンプ３２０のマイナス側入力に接続され、定電圧用クランプダイオード３５０のカソードは定電圧制御用誤差アンプ３２０の出力に接続される。
【００３４】
すなわち、図１から理解できるように定電圧用位相補償コンデンサ３４０と定電圧用クランプダイオード３５０とは、定電圧制御用誤差アンプ３２０に並列接続とされる。
【００３５】
また放電制御装置１０００は、トランジスタＴｒ１と抵抗Ｒ２との直列回路と、抵抗Ｒ１とトランジスタＴｒ２との直列回路と、を並列接続して構成したブリッジ回路４００を備える。ブリッジ回路４００は、定電流制御部２００と定電圧制御部３００と、バッテリー１００と、の間に設けられる。ブリッジ回路４００において、トランジスタＴｒ１のベースと、抵抗Ｒ１とトランジスタＴｒ２との中点と、が接続される。
【００３６】
また、トランジスタＴｒ１と抵抗Ｒ２との中点は、定電流制御部２００の定電流制御用誤差アンプ２２０のプラス側入力と、抵抗Ｒ２０２を介して接続される。また、トランジスタＴｒ２のベースは、定電流制御部２００の出力と定電圧制御部３００の出力とに接続される。また、トランジスタＴｒ１のエミッタと抵抗Ｒ２の一端とが接続され、トランジスタＴｒ２のコレクタと抵抗Ｒ１の一端とが接続される。
【００３７】
また、抵抗Ｒ２の他端とトランジスタＴｒ２のエミッタが接続された接続線は、定電流制御部２００と定電圧制御部３００との各基準電圧マイナス側に接続される。また、当該接続線は、負荷のマイナス側に接続される。また、負荷のプラス側は、電圧制御部３００の定電圧制御用誤差アンプ３２０のマイナス側入力に抵抗Ｒ３０２を介して接続されるとともに、トランジスタＴｒ１のコレクタと抵抗Ｒ１の他端とに接続される。
【００３８】
トランジスタＴｒ１とトランジスタＴｒ２とは、スイッチング素子であって例えばｎｐｎ型バイポーラトランジスタであってもよい。ブリッジ回路４００は、バッテリー１００の放電制御を遂行する場合に、放電制御装置１０００の動作を、定電流動作モードから定電圧動作モードへと切り替える。
【００３９】
ブリッジ回路４００の抵抗Ｒ２は電流検出抵抗であって、抵抗Ｒ２の両端の電圧が、定電流基準電源２３０の定電流基準電圧と同一となるように、定電流動作モードにおいて、定電流制御部２００がバッテリー１００から所定の電流値で放電させる。
【００４０】
また、バッテリー１００の放電が遂行されるとともにバッテリー１００の両端の電圧が降下する。そして、ブリッジ回路４００は、バッテリー１００の両端の電圧が、定電圧基準電源２３０の定電圧基準電圧と同一となった場合に、定電流動作モードから定電圧動作モードに切り替えて、その後バッテリー１００の両端の電圧が、定電圧基準電圧と同一となるようにバッテリー１００から放電させる。
【００４１】
図１に示すように、放電制御装置１０００はダイオードＯＲではなく、定電流制御用出力側抵抗２１０と定電圧制御用出力側抵抗３１０とによる抵抗ＯＲとされるので、動作モード切り替え時に低電圧動作や低電流動作をする場合においても、沿層電圧まで昇圧するための昇圧時間が生じない。
【００４２】
このため、放電制御装置１０００は、迅速な切り替え制御が可能となる。定電流制御用出力側抵抗Ｒ２１０と定電圧制御用出力側抵抗Ｒ３１０との抵抗値は、放電制御装置１０００の動作モード切り替え時間が最短化されるように適宜調整することができる。
【００４３】
図２は、放電制御装置１０００の動作モードを、定電流動作モード（ＣＣ）から定電圧動作モード（ＣＶ）へと切り替える場合の切り替え時間（Ｔ１）を説明する概要図である。
【００４４】
図２に示すように時刻Ｔｓ１で動作モードの切り替えを開始した場合に、定電圧動作モードとして沿層電圧が加算されていない電圧Ｖ１まで昇圧すればよいので、時刻Ｔｅ２で切り替え動作が完了する。このため、放電制御装置１０００の動作モード切り替え時間（Ｔ１）は、（Ｔｅ２−Ｔｓ１）となり比較的短時間となり、無駄な昇圧時間が生じることがなく迅速な切り替え動作が可能となる。上述の実施形態においては、説明の便宜上、放電処理を遂行する放電制御装置１０００について説明したが、充電動作を遂行する充電制御装置として構成してもよいことは自明である。
【００４５】
また、図３は、比較例として放電制御装置３０００を説明する図である。図３において、放電制御装置３０００は、負荷としてのバッテリー３１００を備える。また、放電制御装置３０００は、定電流動作モードにおいてバッテリー３１００から放電させる電流を所定値に保持する定電流制御部３２００と、定電圧動作モードにおいてバッテリー３１００の電圧を所定値に保持するように放電させる定電圧制御部３３００とを備える。
【００４６】
定電流制御部３２００は、定電流基準電圧となる定電流基準電源３２３０と定電流制御用誤差アンプ３２２０と定電流用位相補償コンデンサ３２４０と定電流制御用出力側ダイオード３２１０とを備える。定電流基準電源２３０のプラス側は、抵抗Ｒ３２０１を介して定電流制御用誤差アンプ３２２０のマイナス側入力に接続される。
【００４７】
また、定電流用位相補償コンデンサ３２４０は、定電流制御用誤差アンプ３２２０の出力とマイナス側入力との間にフィードバック接続される。また、トランジスタＴｒ１と抵抗Ｒ２との中点は、抵抗Ｒ３２０２を介して定電流制御用誤差アンプ３２２０のプラス側入力に接続される。
【００４８】
また、定電圧制御部３３００は、定電圧基準電圧となる定電圧基準電源３３３０と定電圧制御用誤差アンプ３３２０と定電圧用位相補償コンデンサ３３４０と定電圧制御用出力側ダイオード３３１０とを備える。定電圧基準電源３３３０のプラス側は、抵抗Ｒ３３０１を介して定電圧制御用誤差アンプ３３２０のプラス側入力に接続される。
【００４９】
また、定電圧用位相補償コンデンサ３３４０は、定電圧制御用誤差アンプ３３２０の出力とマイナス側入力との間にフィードバック接続される。
【００５０】
また放電制御装置３０００は、トランジスタＴｒ１と抵抗Ｒ２との直列回路と、抵抗Ｒ１とトランジスタＴｒ２との直列回路と、を並列接続して構成したブリッジ回路３４００を備える。ブリッジ回路３４００は、定電流制御部３２００と定電圧制御部３３００と、バッテリー３１００と、の間に設けられる。また、トランジスタＴｒ１のベースと、抵抗Ｒ１とトランジスタＴｒ２との中点と、が接続される。
【００５１】
また、トランジスタＴｒ１と抵抗Ｒ２との中点は、定電流制御部３２００と接続される。また、トランジスタＴｒ２のベースは、抵抗Ｒ３を介して、定電流制御部３２００の出力と定電圧制御部３３００の出力とに接続される。また、トランジスタＴｒ１のエミッタと抵抗Ｒ２の一端とが接続され、トランジスタＴｒ２のコレクタと抵抗Ｒ１の一端とが接続される。
【００５２】
また、抵抗Ｒ２の他端とトランジスタＴｒ２のエミッタが接続された接続線は、定電流制御部３２００と定電圧制御部３３００との各基準電圧マイナス側に接続される。また、当該接続線は、負荷のマイナス側に接続される。また、負荷のプラス側は、電圧制御部３３００の定電圧制御用誤差アンプ３３２０のマイナス側入力に抵抗Ｒ３３２０を介して接続されるとともに、トランジスタＴｒ１のコレクタと抵抗Ｒ１の他端とに接続される。
【００５３】
トランジスタＴｒ１とトランジスタＴｒ２とは、スイッチング素子であって例えばｎｐｎ型バイポーラトランジスタであってもよい。ブリッジ回路３４００は、バッテリー３１００の放電制御を遂行する場合に、放電制御装置３０００の動作を、定電流動作モードから定電圧動作モードへと切り替える。ブリッジ回路３４００の当該切り替え動作は、放電制御装置１０００のブリッジ回路４００と同じであるので、説明の重複を避けるためにここではその説明を省略する。
【００５４】
図３に示すように、放電制御装置３０００は抵抗ＯＲではなく、定電流制御用出力側ダイオード３２１０と定電圧制御用出力側ダイオード３３１０とによるダイオードＯＲとされる。このため、放電制御装置３０００は、動作モード切り替え時、特に低電圧動作や低電流動作をする場合の切り替え時においては、沿層電圧が比較的大きく無視できない程度となるので、沿層電圧まで昇圧するための昇圧時間の影響が大きくなる。このため、放電制御装置３０００は、迅速な切り替え制御ができず、制御不可能な期間が生じることとなる。
【００５５】
また、図４は、比較例の放電制御装置３０００の動作モードを、定電流動作モード（ＣＣ）から定電圧動作モード（ＣＶ）へと切り替える場合の切り替え時間（Ｔ２）を説明する概要図である。
【００５６】
図４に示すように時刻Ｔｓ４で動作モードの切り替えを開始した場合に、定電圧動作モードは沿層電圧（Ｖｄ）が加算されている電圧Ｖ２まで昇圧する必要がある。このため、沿層電圧（Ｖｄ）の昇圧相当時間も要することとなり、時刻Ｔｅ４で切り替え動作が完了することとなる。従って、放電制御装置３０００の動作モード切り替え時間（Ｔ２）は、（Ｔｅ４−Ｔｓ４）となり比較的長時間となり、制御不能な無駄な昇圧時間が生じることとなって、迅速な切り替え動作ができない。なお、電圧Ｖ２は、大凡電圧Ｖ１と沿層電圧Ｖｄとの和に対応する。また、沿層電圧Ｖｄは、いわゆる不感帯電圧でもある。
【００５７】
また、実施形態で説明した電源装置と充放電制御装置とその制御方法とは、実施形態での説明に限定されることはなく、開示する技術思想の範囲内で適宜変更したり、公知の技術と組み合わせて適用してもよい。
【００５８】
また、上述した実施形態における電源装置と充放電制御装置とその制御方法とは、バッテリーの充放電試験に限定されることはなく自明な範囲で適宜その構造や構成を変更して用いることができ、試験試料もバッテリーに限られることはない。
【産業上の利用可能性】
【００５９】
本発明は、電源装置や負荷装置等一般に幅広く適用できる。
【符号の説明】
【００６０】
１００・・バッテリー、２００・・定電流制御部、３００・・定電圧制御部、４００・・ブリッジ回路、１０００・・放電制御装置。
【図１】
0005704639.tif 000002
【図２】
0005704639.tif 000003
【図３】
0005704639.tif 000004
【図４】
0005704639.tif 000005
【図５】
0005704639.tif 000006